(57)【要約】【課題】パララックスの補正機構を備えた軽量、小型の双眼拡大鏡を安価に提供する。【解決手段】前方の観察物の像を拡大する左右対称な２つの光学系を有する双眼拡大鏡１０である。左右の駆動レンズ２０Ｌ、２０Ｒを観察物からの距離に応じて左右対称に光軸に対して斜め方向に移動することにより、焦点調節または変倍操作を行うとともに、観察物の像の左右の駆動レンズ２０Ｌ、２０Ｒへの入射角を小さくすることができ、パララックスを補正することができる。焦点調節または変倍操作とパララックスの補正とを単一の機構で制御することができ、双眼拡大鏡１０を軽量、小型にするとともに機構を簡略化して安価に製造することができる。【選択図】図１
2005157226.tif 000002
【特許請求の範囲】
【請求項１】
前方の観察物の像を拡大する左右対称な２つの光学系を有する双眼拡大鏡において、観察物からの距離に応じて左右対称かつ光軸に対して斜め方向に移動して焦点調節または変倍操作を行う左右の駆動レンズを備えることを特徴とする双眼拡大鏡。
【請求項２】
観察物に近づくにつれて前記駆動レンズが前部中央方向へ向かって移動し、観察物から遠ざかるにつれて前記駆動レンズが後部側方へ向かって移動することを特徴とする請求項１に記載の双眼拡大鏡。
【請求項３】
前後方向に軸線を向けて配置されるスクリューネジと、観察物からの距離に応じて前記スクリューネジを回転させるモーターと、前記スクリューネジに螺合しその回転により前後に移動するスライダーと、このスライダーにより保持される連結板と、装置の前部中央方向から後部側方へ伸びる左右対称なガイド軸と、前記各ガイド軸に沿って滑動自在に設けられるとともに前記連結板に左右方向に移動自在に取り付けられる左右の駆動レンズとからなることを特徴とする請求項１または２に記載の双眼拡大鏡。
【請求項４】
前後方向に軸線を向けて配置されるスクリューネジと、観察物からの距離に応じて前記スクリューネジを回転させるモーターと、前記スクリューネジに螺合しその回転により前後に移動するスライダーと、このスライダーにより保持されるレンズガイド軸と、装置の前方に配置され、その前部中央方向から後部側方へ所定の曲線形状に設けられた左右対称なカム溝を有するカム板と、前記各カム溝に沿って滑動自在に設けられるとともに前記レンズガイド軸に左右方向に移動自在に取り付けられる左右の駆動レンズとからなることを特徴とする請求項１または２に記載の双眼拡大鏡。
【請求項５】
前後方向に軸線を向けて配置されるスクリューネジと、観察物からの距離に応じて前記スクリューネジを回転させるモーターと、前記スクリューネジに螺合しその回転により前後に移動するスライダーと、このスライダーにより保持されるレンズガイド軸と、装置の前方に配置され、その前部中央方向から後部側方へ所定の曲面形状に設けられた左右対称なカム状の側面を有するカム板と、前記各側面に向かって付勢され該側面に沿って滑動自在に設けられるとともに前記レンズガイド軸に左右方向に移動自在に取り付けられる左右の駆動レンズとからなることを特徴とする請求項１または２に記載の双眼拡大鏡。
【発明の詳細な説明】
【技術分野】
【０００１】
本発明は、外科手術等で用いる手術用の双眼拡大鏡に関する。
【背景技術】
【０００２】
双眼拡大鏡では、術者の頭部に筐体を装着し、左右の目にそれぞれ別の光学系を用いて観察物を観察することにより、遠近感を生じさせ立体視を可能にしている（例えば、特許文献１参照）。
【０００３】
複数の光学系によって観察物を観察する場合、観察物の位置が前後すると、それぞれの光学系の視野ずれ（パララックス）は大きくなる。この傾向は倍率が高くなるほど強い。
【０００４】
パララックスを補正するために、対物レンズや接眼レンズをそれぞれ光軸方向や光軸に垂直な方向に動かして光軸を補正する方法があった（例えば、特許文献２参照）。
【特許文献１】特許３４２９５２９号明細書
【特許文献２】特許３３７５４０７号明細書
【発明の開示】
【発明が解決しようとする課題】
【０００５】
しかし、対物レンズや接眼レンズを光軸方向に動かす機構や光軸に垂直な方向に動かす機構を設けると、装置が大型化し重量が増え、装着する術者が疲労しやすくなる。また装置の価格が上昇するという問題もある。
【０００６】
本発明の課題は、パララックスの補正機構を備えた軽量、小型の双眼拡大鏡を安価に提供することである。
【課題を解決するための手段】
【０００７】
以上の課題を解決するため、請求項１に記載の発明は、図１及び図２に示すように、前方の観察物の像を拡大する左右対称な２つの光学系を有する双眼拡大鏡１０において、観察物からの距離に応じて左右対称に光軸に対して斜め方向に移動して焦点調節または変倍操作を行う左右の駆動レンズ（対物レンズ群２０Ｌ、２０Ｒ）を備えることを特徴とする。
【０００８】
請求項１に記載の発明によれば、左右の駆動レンズ（対物レンズ群２０Ｌ、２０Ｒ）が観察物からの距離に応じて左右対称に光軸に対して斜め方向に移動することにより、焦点調節または変倍操作を行うとともに、観察物の像の左右の駆動レンズ（対物レンズ群２０Ｌ、２０Ｒ）への入射角を小さくすることができ、パララックスを補正することができる。
【０００９】
請求項２に記載の発明は、請求項１に記載の双眼拡大鏡１０において、観察物に近づくにつれて前記駆動レンズ（対物レンズ群２０Ｌ、２０Ｒ）が前部中央方向へ向かって移動し、観察物から遠ざかるにつれて前記駆動レンズ（対物レンズ群２０Ｌ、２０Ｒ）が後部側方へ向かって移動することを特徴とする。
【００１０】
請求項２に記載の発明によれば、観察物に近づくにつれて駆動レンズ（対物レンズ群２０Ｌ、２０Ｒ）が前部中央方向へ向かって移動し、観察物から遠ざかるにつれて駆動レンズ（対物レンズ群２０Ｌ、２０Ｒ）が後部側方へ向かって移動することにより、焦点調節または変倍操作を行うとともに、観察物の像の左右の駆動レンズ（対物レンズ群２０Ｌ、２０Ｒ）への入射角を小さくすることができ、パララックスを補正することができる。
【００１１】
請求項３に記載の発明は、請求項１または２に記載の双眼拡大鏡１０であって、図１及び図２に示すように、前後方向に軸線を向けて配置されるスクリューネジ３５と、観察物からの距離に応じて前記スクリューネジ３５を回転させるモーター３６と、前記スクリューネジ３５に螺合しその回転により前後に移動するスライダー３４と、このスライダー３４により保持される連結板３２と、装置の前部中央方向から後部側方へ伸びる左右対称なガイド軸３１Ｌ、３１Ｒと、前記各ガイド軸３１Ｌ、３１Ｒに沿って滑動自在に設けられるとともに前記連結板３２に左右方向に移動自在に取り付けられる左右の駆動レンズ（対物レンズ群２０Ｌ、２０Ｒ）とからなることを特徴とする。
【００１２】
請求項３に記載の発明によれば、双眼拡大鏡１０の前後方向に軸線を向けて配置されるスクリューネジ３５を、双眼拡大鏡１０の観察物からの距離に応じてモーター３６により回転させ、スライダー３４及びスライダー３４により保持される連結板３２を前後に移動させ、連結板３２に左右方向に移動自在に取り付けられた左右の駆動レンズを観察装置の前部中央から後部側方へ伸びる左右対称な２組のガイド軸３１Ｌ、３１Ｒに沿って滑動させることにより、焦点調節または変倍操作を行うとともに、観察物の像の左右の駆動レンズ（対物レンズ群２０Ｌ、２０Ｒ）への入射角を小さくすることができ、パララックスを補正することができる。
【００１３】
請求項４に記載の発明は、請求項１または２に記載の双眼拡大鏡１０であって、図９及び図１０に示すように、前後方向に軸線を向けて配置されるスクリューネジ３５と、観察物からの距離に応じて前記スクリューネジ３５を回転させるモーター３６と、前記スクリューネジ３５に螺合しその回転により前後に移動するスライダー３４と、このスライダー３４により保持されるレンズガイド軸３７と、装置の前方に配置され、その前部中央方向から後部側方へ所定の曲線形状に設けられた左右対称なカム溝３９Ｌ、３９Ｒを有するカム板３８と、前記各カム溝３９Ｌ、３９Ｒに沿って滑動自在に設けられるとともに前記レンズガイド軸３７に左右方向に移動自在に取り付けられる左右の駆動レンズ（対物レンズ群２０Ｌ、２０Ｒ）とからなることを特徴とする。
【００１４】
請求項４に記載の発明によれば、双眼拡大鏡１０の前後方向に軸線を向けて配置されるスクリューネジ３５を、双眼拡大鏡１０の観察物からの距離に応じてモーター３６により回転させ、スライダー３４及びスライダー３４により保持されるレンズガイド軸３７を前後に移動させ、レンズガイド軸３７に左右方向に移動自在に取り付けられた左右の駆動レンズを観察装置の前部中央から後部側方へ所定の曲線形状に設けられた左右対称なカム溝３９Ｌ、３９Ｒに沿って滑動させることにより、焦点調節または変倍操作を行うとともに、観察物の像の左右の駆動レンズ（対物レンズ群２０Ｌ、２０Ｒ）への入射角を小さくすることができ、パララックスを補正することができる。またカム溝３９Ｌ、３９Ｒの形状を後述する所定の曲線形状とすることで、観察者の負担をさらに軽減することができる。
【００１５】
請求項５に記載の発明は、請求項１または２に記載の双眼拡大鏡であって、図１１及び図１２に示すように、前後方向に軸線を向けて配置されるスクリューネジ３５と、観察物からの距離に応じて前記スクリューネジ３５を回転させるモーター３６と、前記スクリューネジ３５に螺合しその回転により前後に移動するスライダー３４と、このスライダー３４により保持されるレンズガイド軸３７と、装置の前方に配置され、その前部中央方向から後部側方へ所定の曲面形状に設けられた左右対称なカム状の側面（カム面３８Ｌ、３８Ｒ）を有するカム板３８と、前記各側面に向かって付勢され該側面に沿って滑動自在に設けられるとともに前記レンズガイド軸３７に左右方向に移動自在に取り付けられる左右の駆動レンズ（対物レンズ群２０Ｌ、２０Ｒ）とからなることを特徴とする。
【００１６】
請求項５に記載の発明によれば、双眼拡大鏡１０の前後方向に軸線を向けて配置されるスクリューネジ３５を、双眼拡大鏡１０の観察物からの距離に応じてモーター３６により回転させ、スライダー３４及びスライダー３４により保持されるレンズガイド軸３７を前後に移動させ、レンズガイド軸３７に左右方向に移動自在に取り付けられた左右の駆動レンズを観察装置の前部中央から後部側方へ所定の曲面形状に設けられた左右対称なカム状の側面（カム面３８Ｌ、３８Ｒ）に沿って滑動させることにより、焦点調節または変倍操作を行うとともに、観察物の像の左右の駆動レンズ（対物レンズ群２０Ｌ、２０Ｒ）への入射角を小さくすることができ、パララックスを補正することができる。またカム状の側面（カム面３８Ｌ、３８Ｒ）の形状を後述する所定の曲面形状とすることで、観察者の負担をさらに軽減することができる。
【発明の効果】
【００１７】
本発明によれば、観察物からの距離に応じて左右の駆動レンズを左右対称に光軸に対して斜め方向に移動することにより、焦点調節または変倍操作とパララックスの補正とを単一の機構で制御することができ、双眼拡大鏡を軽量、小型にするとともに機構を簡略化して安価に製造することができる。
【発明を実施するための最良の形態】
【００１８】
以下、本発明の実施の形態について詳細に説明する。本発明の第１の実施の形態の双眼拡大鏡１０は、例えば図１及び図２に示すように、筐体１１と、対物レンズ群２０Ｌ、２０Ｒと、連結板３２と、ガイド軸３１Ｌ、３１Ｒと、スライダー３４と、スクリューネジ３５と、モーター３６と、自動焦点装置３７と、正立プリズム４１Ｌ、４１Ｒ（ここではポロＩ型プリズムを使用）と、接眼レンズ群４２Ｌ、４２Ｒとから概略構成される。
【００１９】
筐体１１は、ガイド軸３１Ｌ、３１Ｒ、スクリューネジ３５、モーター３６、自動焦点装置３７等を保持する本体部１２と、左右それぞれの正立プリズム４１Ｌ、４１Ｒ、及び接眼レンズ群４２Ｌ、４２Ｒ等を保持する回動部１３Ｌ、１３Ｒとからなる。
【００２０】
２つの対物レンズ群２０Ｌ、２０Ｒは、それぞれ複数のレンズ２１と、レンズ２１を保持する対物レンズマウント２２Ｌ、２２Ｒから構成される。対物レンズマウント２２Ｌ、２２Ｒには、ガイド軸３１Ｌ、３１Ｒと滑合し対物レンズマウント２２Ｌ、２２Ｒをガイド軸３１Ｌ、３１Ｒに沿って移動自在に保持する滑合部２３Ｌ、２３Ｒ、及び連結板３２の案内溝３３Ｌ、３３Ｒと滑合する滑合片２４Ｌ、２４Ｒが設けられている。
【００２１】
ガイド軸３１Ｌ、３１Ｒは筐体１１の本体部１２に左右それぞれ２本ずつ全部で４本固定されている。左のガイド軸３１Ｌは図１に示すように、前部中央方向から後部左側方に向けて、右のガイド軸３１Ｒは前部中央方向から後部右側方に向けて、互いに重ならないように配置されている。ガイド軸３１Ｌ、３１Ｒは左右それぞれの対物レンズ群２０Ｌ、２０Ｒを前後に移動させる案内となる。
【００２２】
連結板３２は図２に示すように、スライダー３４によって保持される。連結板３２には対物レンズマウント２２Ｌ、２２Ｒの滑合片２４Ｌ、２４Ｒが滑合する案内溝３３Ｌ、３３Ｒが設けられており、対物レンズマウント２２Ｌ、２２Ｒを左右方向に移動自在としている。連結板３２はスライダー３４を前後に移動させることにより前後に移動し、対物レンズ群２０Ｌ、２０Ｒをガイド軸３１Ｌ、３１Ｒに沿って移動させる。
【００２３】
スライダー３４はスクリューネジ３５に螺合している。スライダー３４はスクリューネジ３５を回転させることにより、スクリューネジ３５に沿って前後に移動する。スクリューネジ３５は、筐体１１の本体部１２に前後方向に配置されている。スクリューネジ３５を回転させるモーター３６はスクリューネジ３５の後端に設けられており、筐体１１の本体部１２に保持されている。
【００２４】
自動焦点装置３７は、双眼拡大鏡１０の観察物からの距離を測定するとともに、モーター３６を駆動して対物レンズ群２０Ｌ、２０Ｒを前後に移動させ、焦点調節を行う。
【００２５】
回動部１３Ｌ、１３Ｒは本体部１２の回動軸１４Ｌ、１４Ｒに回動自在に設けられている。回動軸１４Ｌ、１４Ｒは、最後方に位置させた対物レンズ群２０Ｌ、２０Ｒの光軸の延長線上後方に設けられている。左右の回動部１３Ｌ、１３Ｒを本体部１２に対して回動させることにより、正立プリズム４１Ｌ、４１Ｒ及び接眼レンズ群４２Ｌ、４２Ｒと対物レンズ群２０Ｌ、２０Ｒとの光学的な位置関係を保ちながら、左右の接眼レンズ群４２Ｌ、４２Ｒの間隔を観察者の左右の目幅に合わせることができる。
【００２６】
正立プリズム４１Ｌ、４１Ｒ（ポロＩ型プリズム）は、図３及び図４に示すように、左右反転プリズム４１ａと、上下反転プリズム４１ｂとを組み合わせて構成されている。正立プリズム４１Ｌ、４１Ｒは対物レンズ群２０Ｌ、２０Ｒから入射した光を左右反転プリズム４１ａで２回反射するとともに、上下反転プリズム４１ｂで２回反射することにより上下左右反転させる。対物像は観察物の実像と上下左右反転した倒立像として形成されるが、正立プリズム４１Ｌ、４１Ｒにより倒立像を上下左右反転させた正立像として接眼レンズ群４２Ｌ、４２Ｒに入射させることができる。
【００２７】
あるいは、図５及び図６に示すように、正立プリズム４１Ｌ、４１Ｒとして３つのプリズム４１ｃ、４１ｄ、４１ｅを組み合わせたポロII型プリズムを用いてもよい。ポロＩ型プリズムを用いたほうが双眼拡大鏡１０を前後方向に短くすることができるが、ポロII型プリズムを用いたほうが横方向にすっきりした形状の双眼拡大鏡１０とすることができる。
【００２８】
また、対物レンズ群２０Ｌ、２０Ｒの倍率は（対物レンズ群２０Ｌ、２０Ｒから観察者の目の結像面までの光路長）／（対物レンズ群２０Ｌ、２０Ｒから観察物までの光路長）で定まるため、正立プリズム４１Ｌ、４１Ｒを用いることにより、双眼拡大鏡１０の前後長を伸ばさずに光路を長くすることができる。
【００２９】
接眼レンズ群４２Ｌ、４２Ｒは正立プリズム４１Ｌ、４１Ｒを透過した正立像を観察者の左右の目に結像させる。
【００３０】
次に、双眼拡大鏡１０による焦点調節動作について説明する。まず自動焦点装置３７が双眼拡大鏡１０の観察物からの距離を計測し、モーター３６を駆動する。モーター３６によりスクリューネジ３５が回転すると、スクリューネジ３５に螺合したスライダー３４が、スライダー３４に保持された連結板３２とともに前後に移動する。
【００３１】
連結板３２の案内溝３３Ｌ、３３Ｒには対物レンズマウント２２Ｌ、２２Ｒの滑合片２４Ｌ、２４Ｒが滑合しているため、対物レンズマウント２２Ｌ、２２Ｒは連結板３２により前後に引っ張られ、対物レンズ群２０Ｌ、２０Ｒをガイド軸３１Ｌ、３１Ｒに沿って前部中央方向へ、あるいは後部の左または右側方へ移動する。
【００３２】
観察者の頭部に双眼拡大鏡１０を装着して観察物を観察するとき、観察物が遠方にある場合は、左右の対物レンズ群２０Ｌ、２０Ｒは後部の左右側方に位置している（図１、図２の二点鎖線）。このとき観察物から左右の対物レンズ群２０Ｌ、２０Ｒへの入射光はほぼ平行とみなすことができるため、パララックスはほとんどない。
【００３３】
しかし双眼拡大鏡１０に近い観察物を拡大して観察する場合には、観察物から左右の対物レンズ群２０Ｌ、２０Ｒへの入射角の差が大きくなり、パララックスが大きくなる。このとき左右の対物レンズ群２０Ｌ、２０Ｒを前進させて焦点調節を行うとともに左右方向に近づけることにより、観察物からの光の対物レンズ群２０Ｌ、２０Ｒへの入射角度を小さくし、パララックスを補正する。以下に焦点調節とパララックスの補正を同時に行う原理について説明する。
【００３４】
複数の光軸の中心線上に位置する物体の像は、対物レンズから無限遠方位置にある場合は視野の中心に形成されるが、対物レンズから近位置にある場合は、図７に示すように、視野の中心から外側に距離ｍｗだけずれた位置に形成される。ここでｗは複数の光軸の中心線と各光軸との距離、ｍは横倍率である。
【００３５】
この視野ずれを避けるため、対物レンズを複数の光軸の中心線の方向へ距離ｄだけシフトさせることにより、図７に示すように、物体の像を視野の中心に形成させることができる。
【００３６】
ここで、物体と対物レンズとの距離をＡ、対物レンズと結像面との距離をＢとすると、図７から式（１）、（２）が成り立つ。
【数１】
2005157226.tif 000003
【数２】
2005157226.tif 000004
式（１）に式（２）を代入して
【数３】
2005157226.tif 000005
【００３７】
対物レンズの焦点距離をｆとすると、レンズ結像式より、
【数４】
2005157226.tif 000006
が成り立つ。なお、Ａ＝∞のときＢ＝ｆとなる。対物レンズのＡ＝∞（Ｂ＝ｆ）における位置からの光軸方向への繰出し距離をｘとすると、
【数５】
2005157226.tif 000007
式（５）を式（２）に代入して
【数６】
2005157226.tif 000008
また式（５）を式（４）に代入して
【数７】
2005157226.tif 000009
式（７）を式（６）に代入して、
【数８】
2005157226.tif 000010
式（８）を式（３）に代入して
【数９】
2005157226.tif 000011
ｗ、ｆは定数であるから、ｄとｘとの関係は図８に実線で示すグラフのようになる。
【００３８】
ｘの変化量が小さいとき、ｄとｘとの関係は図８に破線で示したような直線に近似することができる。人の目は調整能力があるため、対物レンズの軌跡を厳密に式（９）の曲線にせずとも、直線近似して誤差分を観察者の調整能力に負わせることができる。
【００３９】
なお直線近似する場合、近似誤差は理論値よりも小さいことが好ましい。人の目は内側への調整能力は高く、シフト量が理論値よりも負であれば、寄り目にすることで補正することができる。逆にシフト量が理論値よりも大きい場合には、開き目方向に調節するため、調整能力は極端に劣る。
【００４０】
このように対物レンズ群２０Ｌ、２０Ｒを前方へ移動して観察物に近づけるにつれて、左右の対物レンズ群２０Ｌ、２０Ｒが左右方向に近づくため、焦点調節とパララックスの補正とを同時に行うことができる。
【００４１】
次に、本発明の第２の実施の形態について説明する。本実施の形態が第１の実施の形態と異なる点は、図９、図１０に示すように、連結板３２の代わりにレンズガイド軸３７が設けられている点、ガイド軸３１Ｌ、３１Ｒの代わりにカム板３８が設けられている点である。また以上の点に対応して、対物レンズマウント２２Ｌ、２２Ｒには、滑合片２４Ｌ、２４Ｒの代わりに滑合部２５Ｌ、２５Ｒが、滑合部２３Ｌ、２３Ｒの代わりにコマ２６Ｌ、２６Ｒが設けられている。
【００４２】
レンズガイド軸３７はスライダー３４によりスクリューネジ３５に沿って前後方向に移動する。滑合部２５Ｌ、２５Ｒは、レンズガイド軸３７と滑合し、対物レンズマウント２２Ｌ、２２Ｒをレンズガイド軸３７に沿って移動自在に保持する。
【００４３】
カム板３８には左右それぞれの対物レンズ群２０Ｌ、２０Ｒを前後に移動させる案内となるカム溝３９Ｌ、３９Ｒが設けられている。カム溝３９Ｌ、３９Ｒの形状は上記式（９）で示される曲線形状とすることが好ましい。コマ２６Ｌ、２６Ｒは、それぞれカム板３８のカム溝３９Ｌ、３９Ｒと係合し、対物レンズ群２０Ｌ、２０Ｒをカム溝３９Ｌ、３９Ｒに沿って案内する。
【００４４】
本実施の形態によれば、対物レンズ群２０Ｌ、２０Ｒをカム溝３９Ｌ、３９Ｒに沿って移動させることにより、第１の実施の形態と同様に焦点調節とパララックスの補正を同時に行うことができるが、カム溝３９Ｌ、３９Ｒの形状を上記式（９）で示される曲線形状とすることで、直線近似したときの誤差分を観察者の調整能力に負わせることがなく、観察者の負担がさらに軽減される。
【００４５】
次に、本発明の第３の実施の形態について説明する。本実施の形態が第２の実施の形態と異なる点は、図１１、図１２に示すように、カム板３８にカム溝３９Ｌ、３９Ｒがなく、その代わりにカム板３８の左右側面がカム面３８Ｌ、３８Ｒとなっている点、滑合部２５Ｌ、２５Ｒの間に付勢材２７が設けられている点である。カム面３８Ｌ、３８Ｒの形状は、カム溝３９Ｌ、３９Ｒと同様の上記式（９）で示される曲面形状とすることが好ましい。
【００４６】
付勢材２７はバネ等の弾性材であり、自然長よりも引き伸ばされた状態でその両端を滑合部２５Ｌ、２５Ｒに固定されている。したがって滑合部２５Ｌ、２５Ｒは付勢材２７の張力によって互いに引き寄せられている。これによりコマ２６Ｌ、２６Ｒは、それぞれカム面３８Ｌ、３８Ｒに向かって付勢されて当接している。このため、スライダー３４によりレンズガイド軸３７がスクリューネジに沿って前後方向へ移動すると、対物レンズ群２０Ｌ、２０Ｒはカム面３８Ｌ、３８Ｒに沿ってそれぞれ移動する。
【００４７】
本実施の形態によれば、対物レンズ群２０Ｌ、２０Ｒをカム面３８Ｌ、３８Ｒに沿って移動させることにより、第１、第２の実施の形態と同様に焦点調節とパララックスの補正を同時に行うことができるが、カム面３８Ｌ、３８Ｒの形状を上記式（９）で示される曲面形状とすることで、直線近似したときの誤差分を観察者の調整能力に負わせることがなく、観察者の負担がさらに軽減される。
【００４８】
また、左右の対物レンズ郡２０Ｌ、２０Ｒを案内するコマ２６Ｌ、２６Ｒを付勢材２７によりコマ面３８Ｌ、３８Ｒに当接させるので、カム溝３９Ｌ、３９Ｒを設ける場合と比較してカム板３８を小さくすることができる。
【００４９】
なお、以上の実施例においては、対物レンズ群２０Ｌ、２０Ｒを駆動レンズとして前後に移動させて焦点調節を行う場合について説明したが、対物レンズ群２０Ｌ、２０Ｒの移動によって変倍操作を行うものに適用してもよい。
【００５０】
また、対物レンズ群２０Ｌ、２０Ｒとは別に焦点調節または変倍操作を行う駆動レンズを設けてもよい。この場合には、駆動レンズを上述の対物レンズ群２０Ｌ、２０Ｒと同様に左右方向に近づけ、あるいは遠ざける方向に動かすことで、焦点調節または変倍操作とともにパララックスの補正を同時に行うことができる。
【００５１】
また、本発明の双眼拡大鏡１０は、両目で観察するための左右対称な２つの光学系の他に、例えばビデオ撮影用等、他の光学系を有していてもよい。その他具体的な細部構造等についても適宜に変更可能であることはもちろんである。
【図面の簡単な説明】
【００５２】
【図１】本発明の双眼拡大鏡の形態例を示す図であり、平面図である。
【図２】図１の双眼拡大鏡の側面図である。
【図３】図１及び図２の双眼拡大鏡の光学系を示す図であり、斜視図である。
【図４】同、（ａ）は平面図、（ｂ）は正面図である。
【図５】本発明の双眼拡大鏡の他の光学系の例を示す図であり、斜視図である。
【図６】同、（ａ）は平面図、（ｂ）は正面図である。
【図７】焦点調節とパララックスの補正を同時に行う原理を説明する図である。
【図８】対物レンズの中心方向へのシフト距離ｄと光軸方向への繰出し距離ｘとの関係を示すグラフである。
【図９】本発明の双眼拡大鏡の形態例を示す図であり、平面図である。
【図１０】図９の双眼拡大鏡の側面図である。
【図１１】本発明の双眼拡大鏡の形態例を示す図であり、平面図である。
【図１２】図１１の双眼拡大鏡の側面図である。
【符号の説明】
【００５３】
１０   双眼拡大鏡
２０Ｌ、２０Ｒ       対物レンズ群
３１Ｌ、３１Ｒ       ガイド軸
３２   連結板
３４   スライダー
３５   スクリューネジ
３６   モーター
３７   レンズガイド軸
３８   カム板
３９Ｌ、３９Ｒ       カム溝
３８Ｌ、３８Ｒ       カム面
【図１】
2005157226.tif 000012
【図２】
2005157226.tif 000013
【図３】
2005157226.tif 000014
【図４】
2005157226.tif 000015
【図５】
2005157226.tif 000016
【図６】
2005157226.tif 000017
【図７】
2005157226.tif 000018
【図８】
2005157226.tif 000019
【図９】
2005157226.tif 000020
【図１０】
2005157226.tif 000021
【図１１】
2005157226.tif 000022
【図１２】
2005157226.tif 000023